【手続補正書】
【提出日】平成25年2月6日(2013.2.6)
【手続補正１】
【補正対象書類名】明細書
【補正対象項目名】０００８
【補正方法】変更
【補正の内容】
【０００８】
本発明のプロジェクト進捗管理装置は、入力部と表示部とを備え、制約条件の理論に従って計画されたプロジェクトの進捗を管理するためのプロジェクト進捗管理装置であって、前記入力部を用いたユーザの操作に応じて、計画時における、前記プロジェクトの遂行に必要な各タスクの開始時期及び所要時間を示す情報と、タスク同士の順序関係を示す情報と、合流バッファの挿入位置及び長さを示す情報と、プロジェクトバッファの挿入位置及び長さを示す情報と、前記プロジェクトの完了期限を示す情報とを取得する計画情報取得手段と、前記入力部を用いたユーザの操作に応じて、タスクの進捗情報の入力を受ける進捗情報取得手段と、現在の状況におけるプロジェクトの完了までに必要な稼働時間をチェーン残りとしたときに、初期計画時のプロジェクトの完了までに必要な稼働時間に対する、当該初期計画時のプロジェクトの完了までに必要な稼働時間から上記チェーン残りを引いたチェーンの割合をチェーン進捗率と表すとともに、バッファ消費率を初期計画時のプロジェクトバッファに対して現在までに消費したバッファの割合を表すものとしたとき、前記進捗情報に基づいて、各タスクについて、当該タスクを含むチェーンにおけるチェーン進捗率とバッファ消費率とを算出する進捗率・消費率算出手段と、チェーン進捗率をＸ軸とし、バッファ消費率をＹ軸とするエリアに対して、前記入力部を用いたユーザの操作に応じて設定された、または、予め定められた、１以上の境界線により、少なくとも第１の領域と、前記第１の領域よりも前記プロジェクトが前記完了期限までに完了しない危険度が高いと判断される第２の領域とを含む複数の領域に区分し、当該区分けされたエリアを前記表示部に表示するエリア表示手段と、前記境界線上を所定の優先度に対応させておき、前記進捗率・消費率算出手段により算出されたチェーン進捗率をｘ座標とし、前記進捗率・消費率算出手段により算出されたバッファ消費率をｙ座標とする点の、前記境界線からの乖離度を求め、前記境界線からの乖離度と前記境界線に対応させた優先度とに基づいて前記チェーン上のタスクの優先度を算出する優先度算出手段と、を備えることを特徴とする。
なお、上記チェーン進捗率は、数式として表現すると、
チェーン残り＝（現在の状況におけるプロジェクトの完了までに必要な稼働時間）
初期プロジェクト期間＝（初期計画時のプロジェクトの完了までに必要な稼働時間）
として、
チェーン進捗率＝［（初期プロジェクト期間）−（チェーン残り）］／（初期プロジェクト期間）
と表すことができる。
同様に、上記バッファ消費率は、
（現在までに消費したバッファ）＝（初期計画時のプロジェクトバッファサイズ）−（バッファ残り）
であるから、
バッファ消費率＝（現在までに消費したバッファ）／（初期計画時のプロジェクトバッファサイズ）
＝［（初期計画時のプロジェクトバッファサイズ）−（バッファ残り）］／（初期計画時のプロジェクトバッファサイズ）
と表すことができる。
【手続補正２】
【補正対象書類名】明細書
【補正対象項目名】００１１
【補正方法】変更
【補正の内容】
【００１１】
本発明のプロジェクト進捗管理プログラムは、制約条件の理論に従って計画されたプロジェクトの進捗を管理するためのプロジェクト進捗管理プログラムであって、入力部と表示部とを備えたコンピュータを、前記入力部を用いたユーザの操作に応じて、計画時における、前記プロジェクトの遂行に必要な各タスクの開始時期及び所要時間を示す情報と、タスク同士の順序関係を示す情報と、合流バッファの挿入位置及び長さを示す情報と、プロジェクトバッファの挿入位置及び長さを示す情報と、前記プロジェクトの完了期限を示す情報とを取得する計画情報取得手段、前記入力部を用いたユーザの操作に応じて、タスクの進捗情報の入力を受ける進捗情報取得手段と、現在の状況におけるプロジェクトの完了までに必要な稼働時間をチェーン残りとしたときに、初期計画時のプロジェクトの完了までに必要な稼働時間に対する、当該初期計画時のプロジェクトの完了までに必要な稼働時間から上記チェーン残りを引いたチェーンの割合をチェーン進捗率と表すとともに、バッファ消費率を初期計画時のプロジェクトバッファに対して現在までに消費したバッファの割合を表すものとしたとき、前記進捗情報に基づいて、各タスクについて、当該タスクを含むチェーンにおけるチェーン進捗率とバッファ消費率とを算出する進捗率・消費率算出手段、チェーン進捗率をＸ軸とし、バッファ消費率をＹ軸とするエリアに対して、前記入力部を用いたユーザの操作に応じて設定された、または、予め定められた、１以上の境界線により、少なくとも第１の領域と、前記第１の領域よりも前記プロジェクトが前記完了期限までに完了しない危険度が高いと判断される第２の領域とを含む複数の領域に区分し、当該区分けされたエリアを前記表示部に表示するエリア表示手段、及び、前記境界線上を所定の優先度に対応させておき、前記進捗率・消費率算出手段により算出されたチェーン進捗率をｘ座標とし、前記進捗率・消費率算出手段により算出されたバッファ消費率をｙ座標とする点の、前記境界線からの乖離度を求め、前記境界線からの乖離度と前記境界線に対応させた優先度とに基づいて前記チェーン上のタスクの優先度を算出する優先度算出手段と、として機能させることを特徴とする。
【手続補正３】
【補正対象書類名】明細書
【補正対象項目名】００５５
【補正方法】変更
【補正の内容】
【００５５】
詳しくは、ユーザがプロジェクトを選択して所定の操作を行うと、クライアント２には、図１０に示すような傾向グラフ画面が表示される。この画面には、第１の境界線５４と第２の境界線５５とにより、第１の領域５１と第２の領域５２と第３の領域５３とに区分された傾向グラフ表示エリア５０（本発明のエリアに相当。）が設けられている。第１の境界線５４及び第２の境界線５５は、本実施形態では、所定の切片（ここでは、第１の境界線５４のＹ軸上の切片を15、第２の境界線５５のＹ軸上の切片を30とする。）と傾き（ここでは、第１の境界線５４、第２の境界線５５のいずれも3/5とする。）とを有した直線として予め定められておいたものを用いるが、入力部２１を用いたユーザの操作に応じて、クライアント２が設定するものであってもよい。詳しくは、ユーザは入力部２１を用いて、第１の境界線５４、第２の境界線５５について、それぞれ、ｘ座標が0のときのｙ座標と、ｘ座標が100のときのｙ座標とを指定することができ、クライアント２は指定された座標により、第１の境界線５４及び第２の境界線５５を設定する。第１の境界線５４及び第２の境界線５５は、そのプロジェクトが人手による作業が多いか、機械による作業が多いか等、プロジェクトの性質によって異なり得るからである。
なお、このような意味で、境界線は、チェーン進捗率をＸ軸とし、バッファ消費率をＹ軸とするエリアについて、少なくとも第１の領域と、前記第１の領域よりも前記プロジェクトが前記完了期限までに完了しない危険度が高いと判断される第２の領域とに区分けしているといえる。本実施例では、３つの領域として、第１の領域５１と第２の領域５２と第３の領域５３とに区分されているが、最小限、二つの領域であっても良い。
【手続補正４】
【補正対象書類名】特許請求の範囲
【補正対象項目名】全文
【補正方法】変更
【補正の内容】
【特許請求の範囲】
【請求項１】
入力部と表示部とを備え、制約条件の理論に従って計画されたプロジェクトの進捗を管理するためのプロジェクト進捗管理装置であって、
前記入力部を用いたユーザの操作に応じて、計画時における、前記プロジェクトの遂行に必要な各タスクの開始時期及び所要時間を示す情報と、タスク同士の順序関係を示す情報と、合流バッファの挿入位置及び長さを示す情報と、プロジェクトバッファの挿入位置及び長さを示す情報と、前記プロジェクトの完了期限を示す情報とを取得する計画情報取得手段と、
前記入力部を用いたユーザの操作に応じて、タスクの進捗情報の入力を受ける進捗情報取得手段と、
現在の状況におけるプロジェクトの完了までに必要な稼働時間をチェーン残りとしたときに、初期計画時のプロジェクトの完了までに必要な稼働時間に対する、当該初期計画時のプロジェクトの完了までに必要な稼働時間から上記チェーン残りを引いたチェーンの割合をチェーン進捗率と表すとともに、バッファ消費率を初期計画時のプロジェクトバッファに対して現在までに消費したバッファの割合を表すものとしたとき、前記進捗情報に基づいて、各タスクについて、当該タスクを含むチェーンにおけるチェーン進捗率とバッファ消費率とを算出する進捗率・消費率算出手段と、
チェーン進捗率をＸ軸とし、バッファ消費率をＹ軸とするエリアに対して、前記入力部を用いたユーザの操作に応じて設定された、または、予め定められた、１以上の境界線により、少なくとも第１の領域と、前記第１の領域よりも前記プロジェクトが前記完了期限までに完了しない危険度が高いと判断される第２の領域とを含む複数の領域に区分し、当該区分けされたエリアを前記表示部に表示するエリア表示手段と、
前記境界線上を所定の優先度に対応させておき、前記進捗率・消費率算出手段により算出されたチェーン進捗率をｘ座標とし、前記進捗率・消費率算出手段により算出されたバッファ消費率をｙ座標とする点の、前記境界線からの乖離度を求め、前記境界線からの乖離度と前記境界線に対応させた優先度とに基づいて前記チェーン上のタスクの優先度を算出する優先度算出手段と、
を備えることを特徴とするプロジェクト進捗管理装置。
【請求項２】
前記進捗率・消費率算出手段が、前記進捗情報に基づいて、前記プロジェクトについての進捗率とバッファ消費率とを算出し、
前記プロジェクトについての進捗率をｘ座標とし、前記プロジェクトについてのバッファ消費率をｙ座標とする傾向グラフを、前記エリアに表示する傾向グラフ表示手段
を備えることを特徴とする請求項１記載のプロジェクト進捗管理装置。
【請求項３】
前記境界線が２つであって、前記エリアが、前記第１の領域と、前記第２の領域と、前記第２の領域よりも前記危険度が高いと判断される第３の領域とに区分され、前記第１の領域と前記第２の領域とを区分する前記境界線を第１の境界線、前記第２の領域と前記第３の領域とを区分する前記境界線を第２の境界線と表記し、第１の境界線に対応する前記優先度を第１の優先度、第２の境界線に対応する前記優先度を第２の優先度と表記したとき、
前記優先度算出手段が、
前記点が前記第１の領域にある場合には、前記点の前記第１の境界線からのＹ軸方向の距離を、前記エリアのＹ軸方向の長さで除した値を、前記乖離度として、前記優先度の最大値に前記乖離度を乗じた値を、前記第１の優先度から減じることにより、算出し、
前記点が前記第２の領域にある場合には、前記点の前記第１の境界線からのＹ軸方向の距離を、前記第２の領域の前記点を通るＹ軸方向の長さで除した値を、前記乖離度として、前記第２の優先度から前記第１の優先度を減じた値に前記乖離度を乗じた値を、前記第１の優先度に加えることにより、算出するか、または、前記点の前記第２の境界線からのＹ軸方向の距離を、前記第２の領域の前記点を通るＹ軸方向の長さで除した値を、前記乖離度として、前記第２の優先度から前記第１の優先度を減じた値に前記乖離度を乗じた値を、前記第２の優先度から減じることにより、算出し、
前記点が前記第３の領域にある場合には、前記点の前記第２の境界線からのＹ軸方向の距離を、前記エリアのＹ軸方向の長さで除した値を、前記乖離度として、前記優先度の最大値に前記乖離度を乗じた値を、前記第２の優先度に加えることにより、算出する
ことを特徴とする請求項１または２記載のプロジェクト進捗管理装置。
【請求項４】
制約条件の理論に従って計画されたプロジェクトの進捗を管理するためのプロジェクト進捗管理プログラムであって、入力部と表示部とを備えたコンピュータを、
前記入力部を用いたユーザの操作に応じて、計画時における、前記プロジェクトの遂行に必要な各タスクの開始時期及び所要時間を示す情報と、タスク同士の順序関係を示す情報と、合流バッファの挿入位置及び長さを示す情報と、プロジェクトバッファの挿入位置及び長さを示す情報と、前記プロジェクトの完了期限を示す情報とを取得する計画情報取得手段、
前記入力部を用いたユーザの操作に応じて、タスクの進捗情報の入力を受ける進捗情報取得手段、
現在の状況におけるプロジェクトの完了までに必要な稼働時間をチェーン残りとしたときに、初期計画時のプロジェクトの完了までに必要な稼働時間に対する、当該初期計画時のプロジェクトの完了までに必要な稼働時間から上記チェーン残りを引いたチェーンの割合をチェーン進捗率と表すとともに、バッファ消費率を初期計画時のプロジェクトバッファに対して現在までに消費したバッファの割合を表すものとしたとき、前記進捗情報に基づいて、各タスクについて、当該タスクを含むチェーンにおけるチェーン進捗率とバッファ消費率とを算出する進捗率・消費率算出手段、
チェーン進捗率をＸ軸とし、バッファ消費率をＹ軸とするエリアに対して、前記入力部を用いたユーザの操作に応じて設定された、または、予め定められた、１以上の境界線により、少なくとも第１の領域と、前記第１の領域よりも前記プロジェクトが前記完了期限までに完了しない危険度が高いと判断される第２の領域とを含む複数の領域に区分し、当該区分けされたエリアを前記表示部に表示するエリア表示手段、
及び、
前記境界線上を所定の優先度に対応させておき、前記進捗率・消費率算出手段により算出されたチェーン進捗率をｘ座標とし、前記進捗率・消費率算出手段により算出されたバッファ消費率をｙ座標とする点の、前記境界線からの乖離度を求め、前記境界線からの乖離度と前記境界線に対応させた優先度とに基づいて前記チェーン上のタスクの優先度を算出する優先度算出手段と、
として機能させることを特徴とするプロジェクト進捗管理プログラム。
【請求項５】
前記進捗率・消費率算出手段が、前記進捗情報に基づいて、前記プロジェクトについての進捗率とバッファ消費率とを算出し、
前記コンピュータを、
前記プロジェクトについての進捗率をｘ座標とし、前記プロジェクトについてのバッファ消費率をｙ座標とする傾向グラフを、前記エリアに表示する傾向グラフ表示手段
として機能させることを特徴とする請求項４記載のプロジェクト進捗管理プログラム。